(57)【要約】【課題】屋根体裁が良好となり、小型・軽量で取扱性に優れ、コストダウンも図れる屋根用取付金具並びにこの屋根用取付金具を具備する屋根用雪止め金具を提供すること。【解決手段】基体３の前側左右部に可動支点部４が設けられ、この前側左右の可動支点部４の後方に一対の挟持部材５が突出状態に設けられていて、この可動支点部４より後方側で一対の挟持部材５が接近可動可能に構成されているか、若しくは基体３の後側左右部に可動支点部４が設けられ、この後側左右の可動支点部４の前方に一対の挟持部材５が突出状態に設けられていて、この可動支点部４の前方側で一対の挟持部材５が接近可動可能に構成されており、この一対の挟持部材５の下部に前記挟持対向部７が設けられている屋根用取付金具。【選択図】図１
2019031850.tif 000002
【特許請求の範囲】
【請求項１】
屋根のハゼ部に被嵌可能な基体の左右に、可動支点部を介して一対の挟持部材が設けられ、この一対の挟持部材間に締付ボルトが貫通配設され、この締付ボルトにより挟持部材同士が前記可動支点部を介し締付接近可動して挟持部材に設けられた挟持対向部が屋根のハゼ部を締付挟持するように構成されている屋根用取付金具において、前記基体の前側左右部に前記可動支点部が設けられ、この前側左右の可動支点部の後方に前記一対の挟持部材が突出状態に設けられていて、この可動支点部より後方側で一対の挟持部材が接近可動可能に構成されているか、若しくは前記基体の後側左右部に前記可動支点部が設けられ、この後側左右の可動支点部の前方に前記一対の挟持部材が突出状態に設けられていて、この可動支点部の前方側で一対の挟持部材が接近可動可能に構成されており、この一対の挟持部材の下部に前記挟持対向部が設けられていることを特徴とする屋根用取付金具。
【請求項２】
前記基体は、前方若しくは後方が開放する平面視コ字状の板材から成り、このコ字状板材の二箇所の屈曲部が前記可動支点部として構成され、この可動支点部を介して後方若しくは前方に突出するコ字状板材の両端板部が前記一対の挟持部材として構成されていることを特徴とする請求項１記載の屋根用取付金具。
【請求項３】
前記請求項１，２のいずれか１項に記載の屋根用取付金具に、雪止め材が設けられているか、若しくは雪止め材を取付可能な雪止め取付部が設けられて成ることを特徴とする屋根用雪止め金具。
【請求項４】
前記屋根用取付金具の基体は、後方が開放する平面視コ字状の板材から成り、このコ字状板材の前側板部に前記雪止め材が設けられているか、若しくはこのコ字状板材の前側板部に前記雪止め取付部が設けられ、この前側板部の左右に存する二箇所の屈曲部が前記可動支点部として構成され、この可動支点部を介して後方に突出するコ字状板材の両端板部が前記一対の挟持部材として構成されていることを特徴とする請求項３記載の屋根用雪止め金具。
【発明の詳細な説明】
【技術分野】
【０００１】
本発明は、縦葺き屋根や折板屋根のハゼ部に取り付け固定可能な屋根用取付金具並びに屋根用雪止め金具に関するものである。
【背景技術】
【０００２】
縦葺屋根用や折板屋根用のこの種屋根用取付金具としては、特許第５５６６２７８号（特許文献１）のように、正面視で下方が開口するコ字状の板材で金具本体が構成され、この金具本体の上部左右の屈曲部を可動支点部として、この可動支点部より下方に垂下する両端板部が左右一対の挟持部材として構成され、この左右一対の挟持部材間に締付ボルトが貫通配設され、この左右一対の挟持部材の夫々の下端部にハゼ部を挟持する挟持対向部が設けられ、前記締付ボルトに螺着したナットを締付回動することにより前記挟持対向部間を狭めて屋根のハゼ部に締付挟持固定可能に構成されているものがある。
【先行技術文献】
【特許文献】
【０００３】
【特許文献１】特許第５５６６２７８号公報
【発明の概要】
【発明が解決しようとする課題】
【０００４】
上記特許文献１のような、屋根用取付金具は、テコの原理を利用した締付固定構造に構成されている。即ち、前記可動支点部が支点、前記締付ボルト及びナットが力点、一対の挟持部材の挟持対向部が作用点となるテコ構造である。
【０００５】
この種屋根用取付金具は、屋根のハゼ部に対して位置ズレや脱落が生じないよう可及的強固に固定したいが、これを実現するためには、支点である可動支点部と作用点である締付ボルト・ナットの距離を離して、作用点である挟持対向部に大きな挟持固定力が得られるようにする必要がある。
【０００６】
してみると、締付ボルト・ナットは屋根のハゼ部を避けるために、ある程度金具の高い位置に設ける必要があり、この締付ボルト・ナットから離れた位置に可動支点部を置こうとすると、特許文献１のような構造では金具自体の高さが増してしまい、これが原因でこの屋根用取付金具や屋根用取付金具に設けられる屋根上設置物が屋根上で目立って屋根体裁が損なわれてしまうという問題があった。
【０００７】
本発明は、このような問題点に鑑み、これを解決しようとするためのもので、可動支点部と締付ボルトの関係が金具の上下方向でなく前後方向に配置されるように構成することで金具の高さを抑えることができ、これにより屋根上で目立たず屋根体裁が良好となることに加えて、小型・軽量化できて取扱い容易となると共に、コストダウンを図ることも可能な屋根用取付金具並びにこの屋根用取付金具を具備する屋根用雪止め金具を提供するものである。
【課題を解決するための手段】
【０００８】
添付図面を参照して本発明の要旨を説明する。
【０００９】
屋根１のハゼ部２に被嵌可能な基体３の左右に、可動支点部４を介して一対の挟持部材５が設けられ、この一対の挟持部材５間に締付ボルト６が貫通配設され、この締付ボルト６により挟持部材５同士が前記可動支点部４を介し締付接近可動して挟持部材５に設けられた挟持対向部７が屋根１のハゼ部２を締付挟持するように構成されている屋根用取付金具Ａにおいて、前記基体３の前側左右部に前記可動支点部４が設けられ、この前側左右の可動支点部４の後方に前記一対の挟持部材５が突出状態に設けられていて、この可動支点部４より後方側で一対の挟持部材５が接近可動可能に構成されているか、若しくは前記基体３の後側左右部に前記可動支点部４が設けられ、この後側左右の可動支点部４の前方に前記一対の挟持部材５が突出状態に設けられていて、この可動支点部４の前方側で一対の挟持部材５が接近可動可能に構成されており、この一対の挟持部材５の下部に前記挟持対向部７が設けられていることを特徴とする屋根用取付金具に係るものである。
【００１０】
また、前記基体３は、前方若しくは後方が開放する平面視コ字状の板材から成り、このコ字状板材の二箇所の屈曲部が前記可動支点部４として構成され、この可動支点部４を介して後方若しくは前方に突出するコ字状板材の両端板部が前記一対の挟持部材５として構成されていることを特徴とする請求項１記載の屋根用取付金具に係るものである。
【００１１】
また、前記請求項１，２のいずれか１項に記載の屋根用取付金具Ａに、雪止め材８が設けられているか、若しくは雪止め材８を取付可能な雪止め取付部９が設けられて成ることを特徴とする屋根用雪止め金具に係るものである。
【００１２】
また、前記屋根用取付金具Ａの基体３は、後方が開放する平面視コ字状の板材から成り、このコ字状板材の前側板部16に前記雪止め材８が設けられているか、若しくはこのコ字状板材の前側板部16に前記雪止め取付部９が設けられ、この前側板部16の左右に存する二箇所の屈曲部が前記可動支点部４として構成され、この可動支点部４を介して後方に突出するコ字状板材の両端板部が前記一対の挟持部材５として構成されていることを特徴とする請求項３記載の屋根用雪止め金具に係るものである。
【発明の効果】
【００１３】
本発明は上述のように構成したから、基体の高さを増すことなく、可動支点部（支点）と締付ボルト（力点）の距離を前後方向に離すことによって挟持対向部（作用点）に大きな挟持固定力を得ることができ、従って基体の高さを抑えることが容易に可能で、屋根体裁を損ないにくく、しかも小型・軽量で取扱性に優れると共に、コストダウンも図れる低背な金具構成を容易に設計実現可能となる極めて実用性に優れた屋根用取付金具となる。
【００１４】
また、請求項２記載の発明においては、前記作用・効果を確実に発揮する基体を簡易構成により容易に設計実現可能となる一層実用性に優れた構成の屋根用取付金具となる。
【００１５】
また、請求項３記載の発明においては、屋根上で目立ちにくく屋根体裁が良好に保たれ、しかも小型・軽量で取扱性に優れると共に、コストダウンも図れる低背な金具構成を容易に設計実現可能な屋根用取付金具を具備する極めて実用性に優れた屋根用雪止め金具となる。
【００１６】
また、請求項４記載の発明においては、基体の前側板部に雪止め材を設けるから、屋根用取付金具を低背に設計することによって雪止め材も非常に低い位置に配設できると共に、前側に配設される雪止め材によって屋根用取付金具が遮られて見えにくくなるなど、屋根体裁が一層良好に保たれる極めて実用性に優れた構成の屋根用雪止め金具となる。
【図面の簡単な説明】
【００１７】
【図１】本実施例を示す斜視図である。
【図２】本実施例を示す、屋根用取付金具を切り欠くと共に雪止め材を一部省略した説明平面図である。
【図３】本実施例の使用状態を示す説明斜視図である。
【図４】本実施例の使用状態における、屋根用取付金具のハゼ部への固定状態を示す説明正断面図である。
【発明を実施するための形態】
【００１８】
好適と考える本発明の実施形態を、図面に基づいて本発明の作用を示して簡単に説明する。
【００１９】
基体３を、その一対の挟持部材５で屋根１のハゼ部２を挟むようにして屋根１上に配置し（基体３をハゼ部２に被嵌し）、一対の挟持部材５間に貫通配設した締付ボルト６により各挟持部材５同士を可動支点部４を介して締付接近させると、一対の挟持部材５の下部に設けられている挟持対向部７が前記ハゼ部２を締付挟持して、基体３（本発明の屋根用取付金具Ａ）が屋根１上に固定される。
【００２０】
また、本発明は、可動支点部４が支点、締付ボルト６が力点、一対の挟持部材５の挟持対向部７が作用点となるテコの原理を利用した取付金具構造であるが、前記基体３の前側左右部に前記可動支点部４が設けられ、この前側左右の可動支点部４の後方に前記一対の挟持部材５が突出状態に設けられていて、この可動支点部４より後方側で一対の挟持部材５が接近可動可能に構成されているか、若しくは前記基体３の後側左右部に前記可動支点部４が設けられ、この後側左右の可動支点部４の前方に前記一対の挟持部材５が突出状態に設けられていて、この可動支点部４の前方側で一対の挟持部材５が接近可動可能に構成されている。
【００２１】
即ち、本発明の屋根用取付金具Ａは、支点（可動支点部４）と力点（締付ボルト６）の位置関係が、基体３の上下方向でなく前後方向に配置されており、それ故可動支点部４と締付ボルト６との距離を前後方向に離すことによって挟持対向部７（作用点）にテコ作用による大きな挟持固定力を得ることができる。
【００２２】
従って、本発明によれば、基体３の高さを抑えることが容易に可能となり、高さがなく屋根１上で目立ちにくく、屋根１体裁を損ないにくい低背の屋根用取付金具Ａ若しくはこの屋根用取付金具Ａを具備する屋根凹雪止め金具を容易に設計実現可能である。
【００２３】
また、高さを抑えることによって小型・軽量化が図れるため、屋根１上の高所作業においても取扱性に優れると共に、高さがない分製造面では材料使用量が抑えられてコストダウンも図れる屋根用取付金具Ａを設計実現可能である。
【実施例】
【００２４】
本発明の具体的な実施例について図面に基づいて説明する。
【００２５】
本実施例は、図１，図３に示すように、屋根１のハゼ部２に対して締付挟持固定可能な屋根用取付金具Ａに、雪止め取付部９を介して雪止め材８が設けられて成る屋根用雪止め金具に適用している。尚、本発明は、雪止め材８以外の屋根上設置物取付用としても適用可能である。
【００２６】
また、図面は、固定対象の屋根１としてハゼ部２を有する縦葺き屋根１（嵌合式のたて平葺き屋根１を示しているが、巻きハゼ式のたて平葺き屋根を固定対象としても良い。）を示しているが、ハゼ部２を有するハゼ式折板屋根を固定対象としても良い。
【００２７】
以下、本実施例では、この屋根１のハゼ部２の長さ方向、即ち屋根１の勾配方向に沿う方向に対応する金具方向を、後述する基体３における前後方向と定めて説明する。
【００２８】
本実施例の要部である屋根用取付金具Ａについて説明すると、屋根１のハゼ部２に上方から被嵌可能な基体３の左右に、可動支点部４を介して一対の挟持部材５が設けられ、この一対の挟持部材５間に締付ボルト６が貫通配設され、この締付ボルト６により挟持部材５同士が前記可動支点部４を介し締付接近可動して挟持部材５に設けられた挟持対向部７が屋根１のハゼ部２を締付挟持するように構成されている。
【００２９】
具体的には、前記基体３は、図１，図２に示すように、後方（屋根１の勾配上方側に向ける側）が開放する平面視略コ字状に折曲された金属製の板材から成り、このコ字状板材の前側板部16の左右両端二箇所の屈曲部が前記可動支点部４として構成され、この可動支点部４を介して後方に突出するコ字状板材の両端板部が前記一対の挟持部材５として構成され、この一対の挟持部材５の下部に前記挟持対向部７が設けられている。即ち、本実施例では、基体３を一対の挟持部材５も含んだ一体物で構成した場合を示している。尚、前側板部16と一対の挟持部材５を別部品として、前側板部16に一対の挟持部材５を軸着する構成（軸着部が可動支点部４となる構成）の基体３を採用しても良い。
【００３０】
更に具体的には、一対の挟持部材５は、夫々の上端部が補強目的で折曲されていると共に、一対の挟持部材５の夫々の後端部上側が互いに対向内側に向けて折曲され、この折曲後端部が、互いに当接し合うことで一対の挟持部材５の締付可動限を決定する挟持ストッパ片12として構成されていて、この挟持ストッパ片12により後述する締付ボルト６と締付ナット11の締めすぎによる屋根１の破損を防止し得るように構成されている。
【００３１】
また、この一対の挟持部材５は、夫々の下端部が互いに対向外側に向けて折曲されて、この折曲下端部が前記ハゼ部２の左右の屋根１上面に載置可能な載置部13として構成されていると共に、この左右の載置部13よりやや上方側の前後方向中ほど部位が対向内側に向けて切り出し折曲されて、この内向き切り出し片の対向縁部が前記挟持対向部７として構成されている。
【００３２】
また、この一対の挟持部材５は、後方側程互いの対向間隔が広くなる平面視形状に折曲形成され、常態では、前記挟持対向部７の対向間隔が屋根１のハゼ部２の幅寸法より広く開いていて、この基体３を屋根１のハゼ部２に上方から被嵌可能となるように構成されている（図１，図２参照）。
【００３３】
また、前記挟持対向部７の真上に相当する一対の挟持部材５の前後方向中ほどの上部寄りにボルト通し孔10が貫通形成され、このボルト通し孔10に前記締付ボルト６が貫通配設されると共に、この締付ボルト６は挟持部材５に対し回り止め状態に設けられ、この締付ボルト６のボルト先端に締付ナット11（六角ナット11）が螺着され、この締付ボルト６と締付ナット11の締付螺動操作により一対の挟持部材５を締付接近させて（各挟持部材５の下部に形成した前記挟持対向部７を締め付け接近させて）前記ハゼ部２の首部を締付挟持し、これにより本屋根用取付金具Ａを屋根１上に固定し得るように構成されている（図３，図４参照）。
【００３４】
即ち、本実施例の屋根用取付金具Ａは、可動支点部４が支点、締付ボルト６及び締付ナット11が力点、一対の挟持部材５の挟持対向部７が作用点となるテコの原理を利用した取付金具構造に構成されているが、支点（可動支点部４）と力点（締付ボルト６）の位置関係が基体３の前後方向に配置されている。
【００３５】
そして、このように構成した本実施例の屋根用取付金具Ａにあっては、可動支点部４と締付ボルト６及び締付ナット11との距離を前後方向に離すことによって挟持対向部７（作用点）に大きな挟持固定力が得られることになるため、基体３の高さが可及的に低く抑えられた構成とされている。
【００３６】
従って、低背で屋根１上で目立ちにくく屋根１体裁を損ないにくく、しかも小型・軽量で取扱性に優れると共に、小型化による材料使用量の削減からコストダウン化も実現できた屋根用取付金具Ａに構成されている。
【００３７】
しかも、本実施例の屋根用取付金具Ａは、作用点（挟持対向部７）が高さのないこの屋根用取付金具Ａの力点（締付ボルト６及び締付ナット11）の真下にあって、この作用点と支点（可動支点部４）の位置も近くに配置されている構成であるので、ハゼ部２に対する極めて強固なテコ作用（締付挟持固定力）を発揮できる。
【００３８】
尚、図示していないが、前記基体３の後側左右部に前記可動支点部４が設けられ、この後側左右の可動支点部４の前方に前記一対の挟持部材５が突出状態に設けられていて、この可動支点部４の前方側で一対の挟持部材５が接近可動可能な構成（本実施例の屋根用取付金具Ａが前後反転したような構成）が採用されていても良い。
【００３９】
また、本実施例の屋根用取付金具Ａは、その前記基体３の前側板部16に雪止め取付部９が設けられ、この雪止め取付部９を介して基体３の前側に前記雪止め材８が取付けられている。
【００４０】
具体的には、基体３の前側板部16の上側左右部に貫通孔９が設けられて、この左右の貫通孔９が前記雪止め取付部９として構成されている。
【００４１】
また、ここで本実施例の雪止め材８について説明すると、図１，図３に示すように、一本の金属製線材14を折曲することによって高さのない横長の方形枠状の額縁型体に形成されている。尚、この雪止め材８は、羽根板が採用されていても良い。
【００４２】
この雪止め材８の前記雪止め取付部９への取付構造は、雪止め材８を構成する線材14の両端部15が、雪止め材８の下部であって雪止め材８の横方向の略中間位置に配設する形状に形成され、この線材14の両端部15が前記雪止め取付部９に挿通されることによって取付けられている。
【００４３】
更に詳しくは、線材14の両端部15は、夫々が上方へ突出する形状に折曲されてその折曲両先端が小間隔を置いた対設状態となるように形成され、この上方へ折曲突出する両端部15が後方へ折曲されて、前記雪止め取付部９に挿通した上で基体３前側板部16の後面に沿うように下方へ折曲されることにより、この両端部15が雪止め取付部９（基体３の前側板部16）に止着されて、雪止め材８が屋根用取付金具Ａの先端部に立設状態に設けられている。
【００４４】
尚、本発明は、本実施例に限られるものではなく、各構成要件の具体的構成は適宜設計し得るものである。
【符号の説明】
【００４５】
１  屋根
２  ハゼ部
３  基体
４  可動支点部
５  挟持部材
６  締付ボルト
７  挟持対向部
８  雪止め材
９  雪止め取付部
16  前側板部
Ａ  屋根用取付金具
【図１】
2019031850.tif 000003
【図２】
2019031850.tif 000004
【図３】
2019031850.tif 000005
【図４】
2019031850.tif 000006